(57)【要約】【課題】録画装置に対応した遠隔操作信号の操作信号コード群を自動的に選択するようにし、その選択した操作信号コード群によって録画装置を操作する放送受信装置、放送受信システム及び及び放送受信システムにおける操作信号の選択方法を提供する。【解決手段】録画装置２に付属の遠隔操作装置５で使用される遠隔操作信号の操作信号コード群を遠隔操作装置５及び録画装置２の製造業者又は機種に対応付けて揮発性メモリ１６８に記憶させ、遠隔操作装置２から受信された操作信号コードを予め記憶された操作信号コード群と比較し録画装置２に対応する操作信号コード群を選択し、選択した操作信号コード群を使用して録画装置２の動作を指示する。【選択図】図１
2005027281.tif 000002
【特許請求の範囲】
【請求項１】
放送信号を受信し、遠隔操作装置からの遠隔操作信号によって遠隔操作される記録装置に対して、該記録装置において記録されるべき上記放送信号の音声情報及び画像情報を供給する放送受信装置であって、
上記記録装置を遠隔制御するための遠隔操作信号において使用される可能性がある操作信号コードであって上記記録装置の製造業者又は機種の情報を含む操作信号コードを上記記録装置の製造業者又は機種毎に集めて操作信号コード群とし、この操作信号コード群を上記記録装置の製造業者又は機種の情報に対応付けて記憶する記憶部と、
上記遠隔操作装置から出力される遠隔操作信号を受信して該遠隔操作信号に含まれる操作信号コードを検出する受信部と、
上記受信部により検出された操作信号コードに含まれる上記記録装置の製造業者又は機種の情報と上記記憶部に記憶された上記記録装置の製造業者又は機種の情報とを比較し、上記検出された操作信号コードに含まれる上記記録装置の製造業者又は機種の情報が上記記憶部に記憶されている場合、上記受信部により検出された操作信号コードに含まれる上記記録装置の製造業者又は機種の情報に対応する操作信号コード群を、上記記録装置に対応する操作信号コード群として選択する選択部と、
上記選択部によって選択された操作信号コード群を使用して上記記録装置の動作を遠隔操作する操作信号コードを生成する操作制御部と、
上記操作制御部により生成された操作信号コードに基づいて遠隔操作信号を上記記録装置に対して送信する送信部と
を備えることを特徴とする放送受信装置。
【請求項２】
上記選択部は、上記検出された操作信号コードに含まれる上記記録装置の製造業者又は機種の情報が上記記憶部に記憶されていない場合、上記遠隔操作装置から出力される遠隔操作信号に含まれる操作信号コードを上記記憶部に記憶させることを特徴とする請求項１記載の放送受信装置。
【請求項３】
遠隔操作装置からの遠隔操作信号によって遠隔操作される記録装置と、放送信号を受信し、上記記録装置に対して、該記録装置において記録されるべき上記放送信号の音声情報及び画像情報を供給する放送受信装置とを備える受信システムであって、
上記放送受信装置は、
上記記録装置を遠隔制御するための遠隔操作信号において使用される可能性がある操作信号コードであって上記記録装置の製造業者又は機種の情報を含む操作信号コードを上記記録装置の製造業者又は機種毎に集めて操作信号コード群とし、この操作信号コード群を上記記録装置の製造業者又は機種の情報に対応付けて記憶する記憶部と、
上記遠隔操作装置から出力される遠隔操作信号を受信して該遠隔操作信号に含まれる操作信号コードを検出する受信部と、
上記受信部により検出された操作信号コードに含まれる上記記録装置の製造業者又は機種の情報と上記記憶部に記憶された上記記録装置の製造業者又は機種の情報とを比較し、上記検出された操作信号コードに含まれる上記記録装置の製造業者又は機種の情報が上記記憶部に記憶されている場合、上記受信部により検出された操作信号コードに含まれる上記記録装置の製造業者又は機種の情報に対応する操作信号コード群を、上記記録装置に対応する操作信号コード群として選択する選択部と、
上記選択部によって選択された操作信号コード群を使用して上記記録装置の動作を遠隔操作する操作信号コードを生成する操作制御部と、
上記操作制御部により生成された操作信号コードに基づいて遠隔操作信号を上記記録装置に対して送信する送信部と
を備えることを特徴とする放送受信システム。
【請求項４】
上記選択部は、上記検出された操作信号コードに含まれる上記記録装置の製造業者又は機種の情報が上記記憶部に記憶されていない場合、上記遠隔操作装置から出力される遠隔操作信号に含まれる操作信号コードを上記記憶部に記憶させることを特徴とする請求項３記載の放送受信システム。
【請求項５】
上記放送受信装置は、上記選択された操作信号コード群を使用する上記記録装置の製造業者又は機種をオンスクリーン表示させるオンスクリーン表示部を有することを特徴とする請求項３記載の放送受信システム。
【請求項６】
遠隔操作装置からの遠隔操作信号によって遠隔操作される記録装置と、放送信号を受信し、上記記録装置に対して、該記録装置において記録されるべき上記放送信号の音声情報及び画像情報を供給する放送受信装置とを備え、上記放送受信装置によって上記記録装置を遠隔操作するようにした受信システムにおける操作信号の選択方法であって、
上記遠隔操作装置から出力される遠隔操作信号を受信して該遠隔操作信号に含まれる上記記録装置の製造業者又は機種の情報を含む操作信号コードを検出する受信ステップと、
上記受信ステップにより検出された操作信号コードに含まれる上記記録装置の製造業者又は機種の情報と、上記記録装置を遠隔制御するための遠隔操作信号において使用される可能性がある操作信号コードを上記記録装置の製造業者又は機種毎に集めて操作信号コード群とし、該操作信号コード群が上記記録装置の製造業者又は機種の情報に対応付けて記憶部に記憶された上記記録装置の製造業者又は機種の情報とを比較し、上記検出された操作信号コードに含まれる上記記録装置の製造業者又は機種の情報が上記記憶部に記憶されている場合、上記受信ステップにより検出された操作信号コードに含まれる上記記録装置の製造業者又は機種の情報に対応する操作信号コード群を、上記記録装置に対応する操作信号コード群として選択する選択ステップと、
上記選択ステップによって選択された操作信号コード群を使用して上記記録装置の動作を遠隔操作する操作信号コードを生成する操作制御ステップと、
上記操作制御ステップにより生成された操作信号コードに基づいて遠隔操作信号を上記記録装置に対して送信する送信ステップと
を有することを特徴とする放送受信システムにおける操作信号の選択方法。
【請求項７】
上記選択ステップは、上記検出された操作信号コードに含まれる上記記録装置の製造業者又は機種の情報が上記記憶部に記憶されていない場合、上記遠隔操作装置から出力される遠隔操作信号に含まれる操作信号コードを上記記憶部に記憶させ、記憶させた操作信号コード群を上記記録装置に対応する操作信号コード群として選択することを特徴とする請求項６記載の放送受信システムにおける操作信号の選択方法。
【請求項８】
上記選択ステップによって選択された操作信号コード群を使用する上記記録装置の製造業者又は機種をオンスクリーン表示するオンスクリーン表示ステップを有することを特徴とする請求項６記載の放送受信システムにおける操作信号の選択方法。
【発明の詳細な説明】
【技術分野】
【０００１】
本発明は、遠隔操作装置によって遠隔操作され音声信号及び画像信号を記録媒体に記録する記録装置に接続され、放送衛星又は通信衛星から送られる音声信号及び画像信号を受信するとともに、該記録装置を遠隔操作する放送受信装置及び放送受信システムに関するものである。また、放送受信システムにおける操作信号の選択方法に関するものである。
【背景技術】
【０００２】
従来、放送番組を記録するための装置としてビデオテープレコーダ等の録画装置がある。この録画装置には、一般にチューナとタイマが内蔵されており、ユーザが時刻とチャンネルを設定することにより所望の番組を録画することができる予約機能が設けられている。
【０００３】
ところが、一般の録画装置にはＶＨＦ（Very High Frequency）とＵＨＦ（Ultra High Frequency）のチューナしか内蔵されておらず、ＢＳ（Broadcasting Satellite）放送やＣＳ（Communications Satellite）放送を直接受信することができない。このため、ＢＳ／ＣＳ放送を受信することができるセットトップボックス（以下、ＳＴＢという）と呼ばれる受信装置が使用される。このＳＴＢからは受信番組に対応した映像信号が出力されるため、この映像信号を録画装置の映像入力端子に供給することにより、ＢＳ／ＣＳ放送の番組を録画することができる。
【０００４】
このようなＳＴＢを用いてＢＳ／ＣＳ放送の番組を録画する際に、ユーザが手動によりＳＴＢのチャンネルを所望の番組に選局し、番組の放送開始と同時に録画装置の録画を開始する場合には問題ないが、録画装置の予約機能によりＢＳ／ＣＳ放送の番組の録画を行う場合には問題が発生する。例えば、一般に、録画装置は、ＳＴＢに内蔵されているＢＳ／ＣＳチューナを直接制御することができないため、異なるチャンネル及び異なる時間のＢＳ／ＣＳ放送の番組を録画装置の予約機能を用いて連続して録画することができなかった。
【０００５】
そこで、録画装置に一般的に備えられている、録画装置の動作を遠隔操作する遠隔操作機能に着目し、録画装置に付属している遠隔操作信号送信装置から送信される遠隔操作信号と同様な信号を送信することができる、ＡＶマウスと呼ばれる遠隔操作信号送信装置をＳＴＢに接続し、ＳＴＢ側から録画装置に遠隔操作信号を送信することにより、録画装置の動作を制御し、例えば、異なるチャンネル及び異なる時間のＢＳ／ＣＳ放送の番組を録画装置の予約機能を用いて録画することを可能としている。特に、ＢＳ／ＣＳ放送では、電子番組表（ＥＰＧ：Electric Program Guide）を使用することにより、番組の放送時刻やチャンネルを指定しなくても番組を録画予約することができる（例えば、特許文献１参照。）。
【０００６】
このような遠隔操作信号送信装置を使用するため、市販されている録画装置に使用されている各メーカあるいは各機種の遠隔操作信号の操作信号コード群をＳＴＢに内蔵された記憶手段に記憶させておき、ユーザが、録画装置のメーカと遠隔操作信号の操作信号コード群との対照表を見て、遠隔操作信号送信装置から送信される操作信号コード群を指定していた。
【０００７】
【特許文献１】特開２００１−２２３９５３号公報
【特許文献２】特開平１０−２０７５０９号公報
【発明の開示】
【発明が解決しようとする課題】
【０００８】
ところが、録画装置の遠隔操作信号で使用される操作信号コード群は、図１０に示すように録画機器のメーカによって異なっており、また、同一メーカでも機種によって複数の操作信号コード群を登録している場合が多い。例えば、Ａ社では、ビデオテープレコーダに６つの操作信号コード群を使用している。このため、遠隔操作信号送信装置を使用する場合には、ユーザは、制御対象となる録画装置が使用している操作信号コード群を試行錯誤して探さなければならず、非常に手間がかかっていた。
【０００９】
また、録画装置のメーカが新しい操作信号コード群を採用した場合は、遠隔操作信号送信装置を使用することができない虞があった。
【００１０】
なお、新しい操作信号コード群に対応できるようにするために、学習モードを有する外部機器制御用送受信器を使用して、新しい操作信号コード群を後から追加できるようにした遠隔制御装置が知られている（例えば、特許文献２参照。）。しかし、この特許文献２に記載の遠隔制御装置においては、新しい操作信号コード群を後から追加することはできるが、実際にどの操作信号コード群を使用するのかは、使用者が試行錯誤しながら設定しなければならず、非常に手間がかかるという問題があった。
【００１１】
本発明は、以上のような問題に鑑みてなされたものであり、録画装置に対応した遠隔操作信号の操作信号コード群を自動的に選択するようにし、その選択した操作信号コード群によって録画装置を操作する放送受信装置、放送受信システム及び及び放送受信システムにおける操作信号の選択方法を提供することを目的とする。
【課題を解決するための手段】
【００１２】
そこで、上述した目的を達成するために、本発明に係る放送受信装置は、放送信号を受信し、遠隔操作装置からの遠隔操作信号によって遠隔操作される記録装置に対して、該記録装置において記録されるべき上記放送信号の音声情報及び画像情報を供給する放送受信装置であって、上記記録装置を遠隔制御するための遠隔操作信号において使用される可能性がある操作信号コードであって上記記録装置の製造業者又は機種の情報を含む操作信号コードを上記記録装置の製造業者又は機種毎に集めて操作信号コード群とし、この操作信号コード群を上記記録装置の製造業者又は機種の情報に対応付けて記憶する記憶部と、上記遠隔操作装置から出力される遠隔操作信号を受信して該遠隔操作信号に含まれる操作信号コードを検出する受信部と、上記受信部により検出された操作信号コードに含まれる上記記録装置の製造業者又は機種の情報と上記記憶部に記憶された上記記録装置の製造業者又は機種の情報とを比較し、上記検出された操作信号コードに含まれる上記記録装置の製造業者又は機種の情報が上記記憶部に記憶されている場合、上記受信部により検出された操作信号コードに含まれる上記記録装置の製造業者又は機種の情報に対応する操作信号コード群を、上記記録装置に対応する操作信号コード群として選択する選択部と、上記選択部によって選択された操作信号コード群を使用して上記記録装置の動作を遠隔操作する操作信号コードを生成する操作制御部と、上記操作制御部により生成された操作信号コードに基づいて遠隔操作信号を上記記録装置に対して送信する送信部とを備えることを特徴としている。
【００１３】
また、本発明に係る放送受信システムは、遠隔操作装置からの遠隔操作信号によって遠隔操作される記録装置と、放送信号を受信し、上記記録装置に対して、該記録装置において記録されるべき上記放送信号の音声情報及び画像情報を供給する放送受信装置とを備える受信システムであって、上記放送受信装置は、上記記録装置を遠隔制御するための遠隔操作信号において使用される可能性がある操作信号コードであって上記記録装置の製造業者又は機種の情報を含む操作信号コードを上記記録装置の製造業者又は機種毎に集めて操作信号コード群とし、この操作信号コード群を上記記録装置の製造業者又は機種の情報に対応付けて記憶する記憶部と、上記遠隔操作装置から出力される遠隔操作信号を受信して該遠隔操作信号に含まれる操作信号コードを検出する受信部と、上記受信部により検出された操作信号コードに含まれる上記記録装置の製造業者又は機種の情報と上記記憶部に記憶された上記記録装置の製造業者又は機種の情報とを比較し、上記検出された操作信号コードに含まれる上記記録装置の製造業者又は機種の情報が上記記憶部に記憶されている場合、上記受信部により検出された操作信号コードに含まれる上記記録装置の製造業者又は機種の情報に対応する操作信号コード群を、上記記録装置に対応する操作信号コード群として選択する選択部と、上記選択部によって選択された操作信号コード群を使用して上記記録装置の動作を遠隔操作する操作信号コードを生成する操作制御部と、上記操作制御部により生成された操作信号コードに基づいて遠隔操作信号を上記記録装置に対して送信する送信部とを備えることを特徴としている。
【００１４】
また、本発明に係る放送受信システムにおける操作信号の選択方法は、遠隔操作装置からの遠隔操作信号によって遠隔操作される記録装置と、放送信号を受信し、上記記録装置に対して、該記録装置において記録されるべき上記放送信号の音声情報及び画像情報を供給する放送受信装置とを備え、上記放送受信装置によって上記記録装置を遠隔操作するようにした受信システムにおける操作信号の選択方法であって、上記遠隔操作装置から出力される遠隔操作信号を受信して該遠隔操作信号に含まれる上記記録装置の製造業者又は機種の情報を含む操作信号コードを検出する受信ステップと、上記受信ステップにより検出された操作信号コードに含まれる上記記録装置の製造業者又は機種の情報と、上記記録装置を遠隔制御するための遠隔操作信号において使用される可能性がある操作信号コードを上記記録装置の製造業者又は機種毎に集めて操作信号コード群とし、該操作信号コード群が上記記録装置の製造業者又は機種の情報に対応付けて記憶部に記憶された上記記録装置の製造業者又は機種の情報とを比較し、上記検出された操作信号コードに含まれる上記記録装置の製造業者又は機種の情報が上記記憶部に記憶されている場合、上記受信ステップにより検出された操作信号コードに含まれる上記記録装置の製造業者又は機種の情報に対応する操作信号コード群を、上記記録装置に対応する操作信号コード群として選択する選択ステップと、上記選択ステップによって選択された操作信号コード群を使用して上記記録装置の動作を遠隔操作する操作信号コードを生成する操作制御ステップと、上記操作制御ステップにより生成された操作信号コードに基づいて遠隔操作信号を上記記録装置に対して送信する送信ステップとを有することを特徴としている。
【発明の効果】
【００１５】
本発明によれば、記録装置を遠隔制御するための遠隔操作信号において使用される可能性がある操作信号コードであって上記記録装置の製造業者又は機種の情報を含む操作信号コードを上記記録装置の製造業者又は機種毎に集めて操作信号コード群とし、この操作信号コード群を上記記録装置の製造業者又は機種の情報に対応付けて記憶手段に記憶し、操作信号コードに含まれる上記記録装置の製造業者又は機種の情報と上記記憶手段に記憶された上記記録装置の製造業者又は機種の情報とを比較することにより、上記記録装置に対応する操作信号コード群を選択することができる。
【発明を実施するための最良の形態】
【００１６】
本発明の具体例として示す放送受信システムにおける操作信号の選択方法は、記録装置に付属の遠隔操作装置で使用される遠隔操作信号の操作信号コード群を該遠隔操作装置及び記録装置の製造業者又は機種に対応付けて記憶手段に記憶させ、操作対象の記録装置に付属の遠隔操作装置から受信された操作信号コードを予め記憶された操作信号コード群と比較し記録装置に対応する操作信号コード群を自動的に選択し、選択した操作信号コード群を使用して記録装置の動作を指示するようにしたものである。
【００１７】
遠隔操作の方法には、特定周波数帯域の電波を使用する方法、赤外線発光を使用する方法などがあげられるが、本具体例では、一般的な電子機器の遠隔操作として汎用性の高い赤外線による遠隔操作方法を使用する。機器の動作を指示する信号を赤外線にて送信する方法として、ＳＩＲＣＳ（Sony Infrared Remote Control System）規格があるが、例えば、ＳＩＲＣＳでは、テレビジョン装置、ビデオテープレコーダ等の電子装置に応じて操作信号コードが割り当てられており、また、同じ電子装置でも異なる操作信号コードが割り当てられている。したがって、例えば図１０に示すメーカに対する操作信号コード表のように、同一メーカの電子装置であっても複数の操作信号コードが存在する。例えばＡ社は、ＶＴＲ１〜ＶＴＲ６の操作信号コードを採用しており、ＶＴＲ１〜ＶＴＲ６にはそれぞれ、異なった６種類のビデオテープレコーダのそれぞれに対応する電源のオン／オフや入力切換などの操作信号コードの集まりである操作信号コード群が対応している。すなわち、一つの操作信号コード群の中には、特定のＶＴＲにおいて使用される電源のオン／オフや入力切換などの各操作信号コードが含まれている。
【００１８】
以下、本発明の具体的な実施の形態について図面を参照しながら説明する。図１は、本発明を適用した受信システムの全体構成を示すブロック図である。受信システム１００は、ＢＳ（Broadcasting Satellite）／ＣＳ（Communications Satellite）ディジタル放送用のセットトップボックスと呼ばれる受信装置１と、番組を記録する記録装置としてビデオテープレコーダ等の録画装置２と、ＬＣＤ（Liquid Crystal Display）等から構成されるテレビジョン装置３と、各装置１、２、３に付属された、いわゆるリモコンと呼ばれる遠隔操作装置４、５、６とを備えている。この受信システム１００は、録画装置２及びテレビジョン装置３では受信できない放送信号を受信装置１で受信し、録画装置２で録画できるようにしたものである。
【００１９】
また、受信装置１には、ＡＶ（Audio Visual）マウスと呼ばれる遠隔操作信号送信装置７が付属している。この遠隔操作信号送信装置７は、その発光部７１を録画装置２の受光部２５に向けて、録画装置２用の遠隔操作装置５から送信される遠隔操作信号Ｓ３と同様の遠隔操作信号Ｓ２を送信することにより、録画装置２を受信装置１側から操作することができる。
【００２０】
受信装置１は、ＢＳ／ＣＳアンテナ８で受信した放送信号のディジタル変調信号を選局するＢＳ／ＣＳチューナ部１０と、選局したディジタル変調信号を復調する復調回路１１と、復調後のＭＰＥＧ―２  ＴＳ（Moving Picture Experts Group-2 Transport Stream）信号の中から所望の番組のパケットを選択しフィルタリングするトランスポートレコーダ１２と、映像・音声などの特定要素のデータを伝送するストリーム信号であるＰＥＳ（Packetized Elementary Stream）信号を選択されたパケットから取り出して映像・音声の復号を行うＡＶデコーダ１３と、映像上に番組情報や文字図形などを表示するＯＳＤ表示回路１４と、表示する番組情報や文字図形などを必要になるタイミングで読み出して映像と合成して出力する合成回路１５とを備えている。
【００２１】
また、受信装置１は、受信装置１用の遠隔操作装置４から出力された遠隔操作信号Ｓ１と、後述する録画装置２用の遠隔操作装置５から出力された遠隔操作信号Ｓ３とを受光する受光部１７と、受光部１７で受信した遠隔操作信号をデコードする遠隔操作信号受信回路１８と、ＢＳ／ＣＳチューナ１０における選局、ＯＳＤ（On Screen Display）表示回路１４における表示、遠隔操作信号送信装置７などを制御する制御部１６とを備えている。制御部１６は、ＣＰＵ（Central Processing Unit）１６１、ＲＯＭ（Read Only Memory）１６２、ＲＡＭ（Random Access Memory）１６３、インターフェイス１６４、１６５、１６６、バス１６７、不揮発性メモリ１６８などで構成されており、ＢＳ／ＣＳディジタル放送の受信や選局をするとともに、遠隔操作信号送信装置７を介して録画装置２の動作を制御する。ＲＯＭ１６２には、ＣＰＵ１６１で実行されるプログラムが格納される。また、不揮発性メモリ１６８には、録画装置２に付属の遠隔操作装置５で使用される遠隔操作信号の操作信号コード群がメーカやモデルなどに対応付けられて格納される。本実施例においては、ＲＡＭ１６３は、プログラムを実行する際のワークエリアとして使用される。なお、制御部１６内の各回路ブロックは、バス１６７を介して相互に接続されており、トランスポートレコーダ１２からの番組情報やデータ放送のデータなどは、バス１６７を介してＲＡＭ１６３に書き込まれる。
【００２２】
遠隔操作信号送信装置７は、その発光部７１を録画装置２の受光部２５に向けて、できるだけ近距離になるように設置されている。詳細は後述するが、遠隔操作信号送信装置７から送信される遠隔操作信号Ｓ２は、録画装置用遠隔操作装置５からの遠隔操作信号とＳ３と同一の操作信号コードとなるように自動的に設定される。
【００２３】
受信装置１の遠隔操作信号受信回路１８では、受光部１７にて受信された遠隔操作信号をデコードし、操作信号コードを読み取る。操作信号コードは、インターフェイス１６５を介して制御部１６に入力される。
【００２４】
制御部１６は、遠隔操作信号送信装置７を使用して録画装置２を遠隔操作する際に必要な遠隔操作信号の操作信号コードの種類を設定する場合には、録画装置用遠隔操作装置５の発光部５１を受信装置１の受光部１７に向けた状態で録画装置用遠隔装置５用の所定動作の操作ボタン（図示せず）を押圧して録画装置用遠隔操作装置５から上記所定動作に対応する遠隔操作信号Ｓ３を出力させる。
【００２５】
また、制御部１６は、録画装置用遠隔操作装置５から出力された上記所定動作に対応する遠隔操作信号を受光部１７にて受光し、遠隔操作信号受信回路１８でデコードし、所定動作の操作信号コードを得る。そして、制御部１６の受信された所定動作の操作信号コードを不揮発性メモリ１６８に予め格納された操作信号コード群と比較し、受信された所定動作の操作信号コードが予め格納されているか否かを判別する。操作信号コードは、図２に示すように、メーカ名やモデル名などを示すカスタムコードとこれに続く実際の制御の種類を示すデータコードを含んでいるので、制御部１６は、例えば、カスタムコードを比較することにより、受信された所定動作の操作信号コードが予め格納されているか否かを判別することができる。
【００２６】
なお、実際の操作信号コードは、上記のカスタムコードやデータコード以外のデータも含んでいるが、ここでは省略している。
【００２７】
不揮発性メモリ１６８には、記録装置２を遠隔制御するための遠隔操作信号において使用される可能性がある操作信号コードであって記録装置の製造業者（メーカ）又は機種（モデル）の情報、すなわち、上記のカスタムコードを含む操作信号コード群を記録装置の製造業者又は機種毎に集めて操作信号コード群とし、この操作信号コード群を記録装置の製造業者又は機種の情報に対応付けて記憶させている。
【００２８】
図３は、不揮発性メモリ１６８に格納されている操作信号コード群を模式的に示した図である。受光部１７にて受信された操作信号コードに対応する操作信号コードが予め不揮発性メモリ１６８に格納されていると判別した場合には、制御部１６は、その操作信号コードに対応する操作信号コード群を選択し、遠隔操作信号送信装置７で使用する操作信号コード群として設定する。また、受信された操作信号コードが格納されていないと判別した場合には、不揮発性メモリ１６８に操作対象装置の機種、例えばメーカ名やモデル名などの情報を記憶させるとともにそれに対応した操作信号コード群を図３に示すようなテーブル形式で格納する。例えば、新しく記憶させた操作信号コードは、ユーザによって登録された操作対象装置の機種、例えばメーカ名やモデル名などの情報とともに予備ＶＴＲ部分に格納される。
【００２９】
そして、例えば受信装置１が録画装置２の電源をＯＮ／ＯＦＦする場合、制御部１６は、ＲＯＭ１６２や不揮発性メモリ１６８に格納された操作信号コード群から電源のオン／オフの操作信号コードを読み出し、録画装置制御信号発生回路１９でその遠隔操作信号を生成させ、遠隔操作信号送信装置７を介して録画装置２の受光部２５に送信する。
【００３０】
このように、受信装置１は、録画装置２用の遠隔操作装置５から送信された遠隔操作信号を受信し、不揮発性メモリ１６８に予め記憶されている操作信号コード群と比較することにより、録画装置２の機種を識別することができるとともにそれに対応した操作信号コード群を選択し、遠隔操作信号送信装置７で使用すべき操作信号コード群として設定することができる。したがって、ユーザは、自分が使用している録画装置２のメーカ名、モデル名、操作信号コード群などを知らなくてもよく、遠隔操作信号送信装置７で使用すべき操作信号コードは自動的に設定される。
【００３１】
録画装置２は、ＵＨＦ（Ultra High Frequency）／ＶＨＦ（Very High Frequency）アンテナ９で受信されたＮＴＳＣ（National Television System Committee）方式の信号から所望の搬送波周波数の信号を選局するＵＨＦ／ＶＨＦチューナ２１と、選局された信号を映像信号に復調する復調回路２２と、受信装置１から受信された映像信号と復調回路２２で復調された映像信号とを切り替える入力切替回路２３と、映像信号を記録／再生する記録／再生回路２４と、これらの選局、復調、入力切替、記録再生を制御する制御回路２７とを備えている。
【００３２】
また、録画装置２は、録画装置用遠隔操作装置５から送信された遠隔操作信号Ｓ３と遠隔操作信号送信装置７から送信された遠隔操作信号Ｓ２とを受光する受光部２５と、受光部２５で受信した遠隔操作信号をデコードする遠隔操作信号受信回路２６とを備えている。これにより録画装置２は、遠隔操作装置５により遠隔操作される。
【００３３】
テレビジョン装置３は、ＵＨＦ／ＶＨＦアンテナ９で受信されたＮＴＳＣ方式の信号から所望の搬送波周波数の信号を選局するＵＨＦ／ＶＨＦチューナ３１と、選局された信号を映像信号に復調する復調回路３２と、録画装置２から受信された映像信号と復調回路３２で復調された映像信号とを切り替える入力切替回路３３と、映像信号をＲ、Ｇ、Ｂの信号に分離するなどの処理を行う映像信号処理回路３４と、処理された映像信号により映像を表示する映像表示装置３５と、これらの選局、復調、入力切替、映像信号処理を制御する制御回路３８とを備えている。
【００３４】
また、テレビジョン装置３は、遠隔操作装置６の発光部６１から送信された遠隔操作信号Ｓ４を受光する受光部３６と、受光部３６で受信した遠隔操作信号をデコードする遠隔操作信号受信回路３７とを備えており、テレビジョン装置３を遠隔操作信号により操作することができる。
【００３５】
次に、受信システム１００における録画方法について簡単に説明する。本実施の形態の受信システム１００における録画装置２及びテレビジョン装置３には、ＢＳ／ＣＳ放送を受信するチューナが備えられておらず、受信装置１がＢＳ／ＣＳ放送を受信する。
【００３６】
ＢＳ／ＣＳ放送では、放送チャンネルや放送時刻を示す番組情報が送られており、この番組情報に基づいてＥＰＧ（Electronics Program Guide）すなわち電子番組表をテレビジョン装置３の映像表示装置３５の表示画面に表示することができ、ユーザがこのＥＰＧを使用して録画すべき放送チャンネルと放送時刻を指定することにより、受信装置１が録画装置２の録画操作を行うことができるようになっている。先に説明したように、受信された番組情報はＲＡＭ１６３に格納されており、ＣＰＵ１６１がこの番組情報に基づいてＥＰＧを生成し、ＯＳＤ表示装置によりＥＰＧ表示用の映像信号を生成し、放送番組の映像信号と合成することにより、ＥＰＧをテレビジョン装置３の表示画面に表示する。
【００３７】
ユーザは、受信装置１がテレビジョン装置３にオンスクリーン表示させたＥＰＧ画面を見ながら、受信装置１用の遠隔操作装置４の操作ボタン（図示せず）を操作して録画設定を行うことができる。
【００３８】
設定された予約時間前になると、受信装置１は、ＢＳ／ＣＳチューナ１０により所望の番組を受信するとともに、録画装置２をオンする操作信号コードを含む遠隔操作信号を遠隔操作信号送信装置７から録画装置２に向けて送り、録画装置２を起動させ、録画を一時停止状態とさせる。なお、録画装置２の入力切換回路２３は、予め外部入力側、すなわち、受信装置１からの信号が供給される側に切り換えておく。その後、予約時間になったら、受信装置１は、録画開始の操作信号コードを録画装置２に送り、受信装置１で受信した映像信号を録画装置２に記録させる。このように、受信装置１は、遠隔操作信号送信装置７を介して操作信号コードを録画装置２に送信することにより、録画装置２の録画操作をすることができる。なお、録画装置２をオンする操作信号コードに続けて録画開始の操作信号コードを送るようにしてもよい。
【００３９】
次に、遠隔操作信号送信装置７から送信される遠隔操作信号の設定方法について、図４〜図９を参照しながら説明する。図４〜図８は、遠隔操作信号設定時の画面表示例を示す図であり、図９は、遠隔操作信号の設定時における受信装置１の動作例を示すフローチャートである。この遠隔操作信号の設定は、録画装置２を操作するために、遠隔操作信号送信部装置７から送信する遠隔操作信号Ｓ２の操作信号コードを、録画装置２に対応した遠隔操作コードとするものである。なお、本実施例の受信装置１は、放送番組を受信して放送番組の内容を表示する通常モードと、遠隔操作信号を設定する設定モードを受信装置１用の遠隔操作装置４を使用して切り換えることが可能となっているものとする。以下の説明は、設定モードにおける動作の説明である。
【００４０】
ユーザが受信装置１を設定モードに切り換えると、まず、受信装置１は、図４に示すような遠隔操作信号送信装置７から送信される遠隔操作信号の設定、すなわちＡＶマウス設定の画面をテレビジョン装置３に表示させる。図４に示す自動検出ボタン４ａがユーザにより選択されると、図５に示すように、録画装置用遠隔操作装置５の電源キー（図示せず）を押すように促すメッセージを表示する。なお、画面上に表示されたボタンの選択は、受信装置用遠隔操作装置４の所定の操作キーをユーザが操作することにより行われる。ユーザは、メッセージに従い、録画装置用遠隔操作装置５の電源キー（図示せず）を押して、遠隔操作装置５の発光部５１から受信装置１の受光部１７に向けて電源オン／オフの遠隔操作信号Ｓ３を送信する。なお、本具体例では、電源オン／オフの操作信号コードを用いて録画装置２のメーカや機種を認識するが、これに限定するものではなく、例えば録画開始の操作信号コードを用いるようにしてもよい。
【００４１】
また、図４に示す手動検出ボタン４ｂが選択されると、従来の方法と同様な方法で遠隔操作信号送信装置７を設定する処理に進む。すなわち、図１０に示すような録画装置のメーカと操作信号コード群との対照表を見て、ユーザが録画装置２で使用される遠隔操作信号の操作信号コード群を決定する。また、戻るボタン４ｃが選択されると遠隔操作信号送信装置７の設定を終了する。なお、図５に示す戻るボタン５ａが選択されると、図４の表示画面に戻す。
【００４２】
図５に示される画像が表示された状態で、録画装置用遠隔操作装置５の電源キー（図示せず）が押されると、受信装置１は、遠隔操作装置５から出力された電源オン／オフの遠隔操作信号Ｓ３を受光部１７で受信し（ステップＳ９１）、遠隔操作信号受信回路１８で遠隔操作信号をデコードし、操作信号コードを読み取る。操作信号コードは、インターフェイス１６５を介し制御部１６に入力され、制御部１６は、受信された操作信号コードと不揮発性メモリ１６８に格納されている複数のカスタムコードとを順次比較し、受信された操作信号コードに対応する操作信号コードが不揮発性メモリに格納されているか否かを判別する（ステップＳ９２）。
【００４３】
受信された操作信号コードが不揮発性メモリ１６８に格納されている場合、制御部１６は、図６に示すように遠隔操作信号に含まれる操作信号コードを使用している録画装置２の機種、例えばメーカ名やモデル名などをテレビジョン装置３に表示するとともに、ユーザに対し、電源オン／オフボタン６ａによる録画装置２の動作の確認を促す（ステップＳ９４）。ユーザが電源オン／オフボタン６ａを選択すると、制御部１６は、検出された操作信号コードに対応する操作信号コードを含む遠隔操作信号Ｓ２を遠隔操作信号操作装置７から出力させる。この遠隔操作信号Ｓ２で録画装置２の電源がオン／オフする場合には、正しい操作信号コードが選択されたことになる。この際、メーカ名、モデル名が制御対象の録画装置２と異なる場合や動作が確認できなかった場合などには、再検出ボタン６ｂが選択され、制御部１６は、図４の表示画面に戻す。また、戻るボタン６ｃが選択されると図５の表示画面に戻す。
【００４４】
受信された操作信号コードが不揮発性メモリ１６８に格納されていない場合、制御部１６は、図７に示すような画面を表示させ、ユーザに対し、操作信号コードを登録するように促す。ユーザは、例えば図７の表示画面に基づいて、受信装置用遠隔操作装置４を操作して、メーカ名やモデル名などを入力し、決定ボタン７ａを選択することにより操作信号コードを登録する。受信装置１は、登録されたメーカ名やモデル名などの情報や操作信号コードを不揮発性メモリ１６８に記憶させる（ステップＳ９３）。なお、不揮発性メモリ１６８に代えて、電気的に内容を書き換え可能なＥＥＰＲＯＭ（Electrically Erasable Programmable Read Only Memory）を使用することも可能である。また、新しく検出された操作信号コードを、ＲＡＭ１６３に記憶させて、このＲＡＭ１６３の電源を電池などから常時供給するようにしてもよい。ここで、記憶させる操作信号コードは、少なくとも録画装置２の録画操作に必要な電源オン／オフ、入力切替、録画開始、録画停止などの操作信号コードである。
【００４５】
なお、図７に示す再検出ボタン７ｂが選択されると、制御部１６は、図４の表示画面に戻し、戻るボタン７ｃが選択されると図５の表示画面に戻す。
【００４６】
操作信号コードの情報を不揮発性メモリ１６８に記憶させた後、制御部１６は、図４の表示画面と同様に図８の表示画面に登録した録画装置２の機種、例えばメーカ名やモデル名などを表示するとともに、ユーザに対し、電源オン／オフボタン８ａによる録画装置２の動作の確認を促す（ステップＳ９４）。この際、動作が確認できなかった場合には、再検出ボタン８ｂが選択され、制御部１６は、図７の表示画面に戻す。また、戻るボタン８ｃが選択されると図５の表示画面に戻す。
【００４７】
ステップＳ４の動作確認において、図６または図８に示す電源オン／オフボタン６ａ、８ａが選択されると、制御部１６は、認識された録画装置２に使用されている電源オン／オフの操作信号コードの遠隔操作信号を録画装置制御信号発生回路１９で生成させ、遠隔操作信号送信装置７を介してその遠隔操作信号を録画装置２の受光部２５に送信する。そして、ユーザは、録画装置２における電源のオン／オフの動作を確認する。
【００４８】
このように、遠隔操作信号の操作信号コードと機種等の情報とを対応付けて不揮発性メモリ１６８に予め記憶させておき、受信された操作信号コードと予め記憶させておいた複数の操作信号コードとを順次比較し、同一の操作信号コードが存在する場合にはこの操作信号コードを選択し、選択した操作信号コード群を採用している録画装置２の機種をテレビジョン装置３に表示し、ユーザに確認させることにより、録画装置２を操作する遠隔操作信号を容易に決定することができる。
【００４９】
なお、本発明は、上述した実施の形態のみに限定されるものではなく、本発明の要旨を逸脱しない範囲において種々の変更が可能である。例えば、上述の実施の形態では、ＢＳ／ＣＳディジタル放送用のセットトップボックスを例に挙げて説明したが、これに限定されるものではなく、ＣＡＴＶ放送用のセットトップボックスに対しても本発明を適用することが可能である。
【００５０】
また、不揮発性メモリ１６８に記憶させておくメーカや機種別の操作信号コード群は、例えばインターネット等から取得することが可能である。
【００５１】
また、上述の実施の形態では、ＭＰＥＧデータをデコードした後の信号を録画装置２で記録するようにしたが、ＭＰＥＧデータのまま記録するようにしてもよい。
【００５２】
以上、本発明の一例として説明した受信システムによれば、録画装置２に付属した、いわゆるリモコンと呼ばれる遠隔操作装置５から出力された例えば電源オン／オフの遠隔操作信号の操作信号コードに基づいて録画装置２の機種を識別することができるので、ユーザが同じメーカの複数の操作信号コードの中から録画装置２に対応した操作信号コードを探す手間を省くことができる。また、録画装置２に対応した操作信号コードが記憶されていなくても、その録画装置２に対応した操作信号コード群を記憶させることにより、どのような機種の録画装置２でも遠隔操作することができる。
【図面の簡単な説明】
【００５３】
【図１】本発明を適用させた受信システムの全体構成を示すブロック図である。
【図２】操作信号コードを模式的に示す図である。
【図３】不揮発性メモリに格納されている操作信号コード群を模式的に示した図である。
【図４】遠隔操作信号を選択する際にテレビジョン装置に表示される画面例を示す図である。
【図５】遠隔操作信号を選択する際にテレビジョン装置に表示される画面例を示す図である。
【図６】遠隔操作信号を選択する際にテレビジョン装置に表示される画面例を示す図である。
【図７】遠隔操作信号を選択する際にテレビジョン装置に表示される画面例を示す図である。
【図８】遠隔操作信号を選択する際にテレビジョン装置に表示される画面例を示す図である。
【図９】遠隔操作信号の選択方法を説明するためのフローチャートである。
【図１０】従来における遠隔操作信号の選択方法を説明するための図である。
【符号の説明】
【００５４】
１    受信装置、  ２    録画装置、  ３    テレビジョン装置、  ４    受信装置用遠隔操作装置、  ５    録画装置用遠隔操作装置、  ６    テレビジョン装置用遠隔操作装置、  ７    遠隔操作信号送信部装置、  ８    ＢＳ／ＣＳアンテナ、  ９    ＵＨＦ／ＶＨＦアンテナ、  １００    受信システム
【図１】
2005027281.tif 000003
【図２】
2005027281.tif 000004
【図３】
2005027281.tif 000005
【図４】
2005027281.tif 000006
【図５】
2005027281.tif 000007
【図６】
2005027281.tif 000008
【図７】
2005027281.tif 000009
【図８】
2005027281.tif 000010
【図９】
2005027281.tif 000011
【図１０】
2005027281.tif 000012